(57)【要約】      （修正有）【課題】逆さ針と錨針がオトリアユや被服の袖などに引っ掛かることを回避でき、引っ掛かった逆さ針や錨針を外す面倒な作業が減少でき、オトリアユに鼻管を取り付ける作業がスムーズにできる鼻管取り付けサポーターを提供する。【解決手段】オトリアユをつかむ方の手の甲側における、親指の付け根の掌側と親指の付け根の人差し指側と手首の親指側の踝３の３箇所を線でつないだ範囲と、親指の付け根の掌側と親指側の踝３をつないだ線５に接続する拇指球の一部を含む範囲を併せて特定の範囲とし、親指の付け根から手首を含む部分を有した任意の形をした手に装着できるもの９に特定の範囲を設定し、その特定の範囲の面に貼りつけたり取り外したりできる面をもつ布状のものを設け、その表面に針を仮止めするための任意の形状をした凸部８を底面が接着するように、任意の数だけ任意の箇所に貼りつけ取り外し自在に設ける。【選択図】図５
0003208074.tif 000002
【実用新案登録請求の範囲】
【請求項１】
手の甲側の、親指の付け根の掌側（１）と親指の付け根の人差し指側（２）と手首の親指側の踝（３）の３箇所を線でつないだ範囲（４）と、親指の付け根の掌側（１）と親指側の踝（３）をつないだ線（５）に接続する拇指球の一部を含む範囲（６）を併せて特定の範囲（７）とし、親指の付け根から手首を含む部分を有した任意の形をした手に装着できるもの（９）に特定の範囲（７）を設定し、特定の範囲（７）の面に片面が貼りつけたり取り外したりできる面をもつ布状のものの貼りつけたり取り外したりできる面を表面（１０）として設け、任意の形状をした凸部（８）の底面に任意の形状をした凸部（８）の底面より広い任意の形の片面が貼りつけたり取り外したりできる面をもつ布状のものの貼りつけたり取り外したりできる面を表面とした裏面（１１）の任意の位置に任意の形状をした凸部（８）の底面が接着するように設け、片面が貼りつけたり取り外したりできる面をもつ布状のものの貼りつけたり取り外したりできる面を表面（１０）として設けた特定の範囲（７）に任意の形状をした凸部（８）の底面に任意の形状をした凸部（８）の底面より広い任意の形の片面が貼りつけたり取り外したりできる面をもつ布状のものの貼りつけたり取り外したりできる面を表面とした裏面（１１）の任意の位置に任意の形状をした凸部（８）の底面が接着するように設けた任意の形状をした凸部（８）を、任意の数だけ任意の箇所に貼りつけたり取り外したりできるように設けたことを特徴とする鼻管取り付けサポーター。
【考案の詳細な説明】
【考案の開示】
【考案が解決しようとする課題】
【０００１】アユの友釣りにおいて、オトリアユに鼻管をとおす時には、オトリアユが逃げないようにタモの中にオトリアユを入れて中央でおこなうのが一般的である。片方の手でオトリアユをつかみもう片方の手で鼻管を指でつまんでオトリアユの鼻にとおす作業をおこなう。
鼻管の仕掛けは、鼻管と逆さ針と錨針とがおよそ一定の間隔の長さの糸でつながっていることが一般的なタイプであり、鼻管をとおす作業をするときに逆さ針や錨針が周りのタモの網やオトリアユや被服の袖などに引っ掛かり大変不便をきたしていた。また、タモやオトリアユや被服の袖などに引っ掛かった逆さ針や錨針を外すのが大変面倒であり、鼻管をとおす作業をおこなう間、逆さ針と錨針を取り外しのできる状態で固定することが課題であった。
また、鼻管と逆さ針と錨針は一定の間隔の長さの糸でつながっているため、逆さ針と錨針を取り外しのできる状態に固定する位置は、鼻管を取り付ける作業の時に糸の長さによる制約をできるだけ受けない位置とする必要があり、また、逆さ針と錨針を取り外しのできる状態で固定しておきながら鼻管を取り付ける作業をする場合においても、固定されている逆さ針と錨針が周囲のタモの網やオトリアユや被服の袖などにできるだけ引っ掛からない位置とする必要があり、逆さ針と錨針を取り外しのできる状態に固定する箇所をどのように設けるかが課題であった。
また、逆さ針と錨針を取り外しのできる状態に固定する時は固定するものに針を何度も刺したり外したりして使用するため、針を固定するものが摩耗し劣化し使いづらくなってくることが課題であった。
また、逆さ針と錨針を固定するものを設けるにあたって、しっかりと固定されていないとぐらついて逆さ針と錨針を刺して固定する時に針を刺しにくいという課題があった。
また、針を固定するものが鼻管取り付け作業以外の作業動作中に衣服やタモの柄やベルトに当たっても簡単に外れてしまうことのないように取り付けることが課題であった。
【課題を解決するための手段】
【０００２】上記課題を解決するため、オトリアユをつかむ方の手の甲側の、親指の付け根の掌側（１）と親指の付け根の人差し指側（２）と手首の親指側の踝（３）の３箇所を線でつないだ範囲（４）と、親指の付け根の掌側（１）と親指側の踝（３）をつないだ線（５）に接続する拇指球の一部を含む範囲（６）を併せて特定の範囲（７）とし、親指の付け根から手首を含む部分を有した任意の形をした手に装着できるもの（９）に特定の範囲（７）を設定し、特定の範囲（７）の面に片面が貼りつけたり取り外したりできる面をもつ布状のものの貼りつけたり取り外したりできる面を表面（１０）として設け、任意の形状をした凸部（８）の底面に任意の形状をした凸部（８）の底面より広い任意の形の片面が貼りつけたり取り外したりできる面をもつ布状のものの貼りつけたり取り外したりできる面を表面とした裏面（１１）の任意の位置に任意の形状をした凸部（８）の底面が接着するように設け、片面が貼りつけたり取り外したりできる面をもつ布状のものの貼りつけたり取り外したりできる面を表面（１０）として設けた特定の範囲（７）に任意の形状をした凸部（８）の底面に任意の形状をした凸部（８）の底面より広い任意の形の片面が貼りつけたり取り外したりできる面をもつ布状のものの貼りつけたり取り外したりできる面を表面とした裏面（１１）の任意の位置に任意の形状をした凸部（８）の底面が接着するように設けた任意の形状をした凸部（８）を、任意の数だけ任意の箇所に貼りつけたり取り外したりできるように設ける。
また、手に装着できるもの（９）の形状は手袋でもよい。
また、手に装着できるもの（９）の形状は親指をとおし手首につながっている親指サポーターでもよい。
【考案の効果】
【０００３】このようにすれば、貼りつけたり取り外したりできるように設けた任意の形状をした凸部（８）に逆さ針と錨針の針を刺し取り外しのできる状態に固定することにより、鼻管と逆さ針と錨針が一定の間隔の長さの糸でつながっていることから生じるオトリアユに鼻管をとおす作業時の糸の長さによる制約を小さくすることができ一定の間隔の長さの糸に余裕をもって作業をおこなうことができ、鼻管をとおす作業がスムーズに運び大変に便利である。
また、タモの中でのオトリアユに鼻管をとおす作業は片方の手でアユをつかんでおこなうがこの時のアユをつかんだ手の位置と姿は特定の範囲（７）の部分がタモの中央付近に位置しそして上方面になることから、貼りつけたり取り外したりできるように設けた任意の形状をした凸部（８）は周りのタモの網から離れた位置を保つことができるためタモの網に触れにくくなりまた、網が被さりにくく、貼りつけたり取り外したりできるように設けた任意の形状をした凸部（８）に刺した逆さ針と錨針がオトリアユや被服の袖などに引っ掛かることを回避することができまた、タモやオトリアユや被服の袖などに引っ掛かった逆さ針や錨針を外す面倒な作業が減少でき、鼻管を取り付ける作業が大変スムーズに運び便利である。
また、逆さ針と錨針を、貼りつけたり取り外したりできるように設けた任意の形状をした凸部（８）に何度も刺したり外したりして使用するために生じる貼りつけたり取り外したりできるように設けた任意の形状をした凸部（８）の摩耗や劣化に対して、古くなった貼りつけたり取り外したりできるように設けた任意の形状をした凸部（８）を新しい貼りつけたり取り外したりできるように設けた任意の形状をした凸部（８）に容易に取り換えることができ大変便利で経済的である。
また、貼りつけたり取り外したりできるように設けた任意の形状をした凸部（８）を貼りつけたり取り外したりできるように設けた任意の形状をした凸部（８）の底面より広い面で特定の範囲（７）の面に貼りつけることによって貼りつけたり取り外したりできるように設けた任意の形状をした凸部（８）のぐらつきを軽減することができ逆さ針や錨針を刺す作業がやり易くなりまた、鼻管取り付け作業以外の作業動作中においても貼りつけたり取り外したりできるように設けた任意の形状の凸部（８）が衣服やタモの柄やベルトに当たっても外れにくくなる効果があり大変便利である。
【図面の簡単な説明】
【０００４】
【図１】手に装着できるもの（９）に範囲（４）の一部と、一部を含む範囲（６）を示した正面図である。
【図２】手に装着できるもの（９）に範囲（４）の一部を示した背面図である。
【図３】手に装着できるもの（９）を手に装着した時の、範囲（４）の一部と範囲（７）の一部を示した斜視図１である。
【図４】手に装着できるもの（９）を手に装着した時の、範囲（４）の一部と、一部を含む範囲（６）と範囲（７）の一部を示した斜視図２である。
【図５】鼻管取り付けサポーターを装着した時の斜視図３である。
【図６】鼻管取り付けサポーターを装着した時の斜視図４である。
【符号の説明】
【０００５】１  親指の付け根の掌側
２  親指の付け根の人差し指側
３  親指側の踝
４  ３箇所を線でつないだ範囲
５  親指の付け根の掌側（１）と親指側の踝（３）をつないだ線
６  拇指球の一部を含む範囲
７  特定の範囲
８  凸部
９  手に装着できるもの
１０  貼りつけたり取り外したりできる面を表面として設けた面
１１  貼りつけたり取り外したりできる面を表面とした裏面
【図１】
0003208074.tif 000003
【図２】
0003208074.tif 000004
【図３】
0003208074.tif 000005
【図４】
0003208074.tif 000006
【図５】
0003208074.tif 000007
【図６】
0003208074.tif 000008